(57)【要約】【課題】  天板長辺側（左右方向）に拡縮用天板を組込んだタイプの従来の拡縮天板テーブルとは異なり、天板の短辺側（前後方向）での拡縮を図ることにより、天板の長辺方向での元の長さを変えずに、当該天板の平面形状を変更し、天板面積を拡縮できると共に、長辺側を拡縮する従来タイプのテーブルに比べ、使い勝手の面でも優れたテーブルを提供すること。【解決手段】  天板１の中央部位に、その天板の外周部側３に分離線を介して囲まれた長方形部２をその中心を一致させて分割可能に設け、該長方形部２を中央で左右に２分割21，22する一方、この長方形部を囲んだ外周部側３を、前記分割方向とはクロスする方向（元の天板の前後方向）で分割31，32して、前記分割した長方形部21，22を、移動して開いた外周部側31，32に挟むように位置付けて、天板中央部位に大きめの平面短形の開口部12を形成し、この開口部12に元の天板下に組込んでいた拡大用天板13を昇降機構によりせり上げて、各天板の上面を揃えるようにした。【選択図】図５
2008125522.tif 000002
【特許請求の範囲】
【請求項１】
(イ)   適宜脚部材に支持された天板の平面上（以下、天板面という）における中心部位に、当該天板の外周部側に囲まれ、かつ、囲まれた部位に接して分離した長方形部が、当該天板面に形成されていること、
(ロ)   前記長方形部は、前記天板面の左右方向の幅の１／２長の長辺と当該天板面の前後方向の幅より小さ目の短辺とを有し、長さ方向の中点（又は前記天板面の中心）で左右に２分割され、当該分割部分が、天板面の左右方向に移動して互に離接可能配置されていること、
(ハ)   前記長方形部を囲む天板面の外周部側は、前記長方形部における短辺を通る点において、当該長方形部の長辺に沿って前後方向に分割され、当該分割部分が天板面の前後方向に移動して互に離接可能に配置されていること、
(ニ)   前記天板面の中心部位の下面側に、長辺が前記長方形部の長辺と同等長さで、短辺が当該長方形部の短辺の長さの２倍長を有する拡大用天板が、昇降可能に配置されていること、
(ホ)   分割された前記外周部側を前後方向に移動させその分割部位の幅が拡張されて形成された空所に、分割された長方形部の分割部分をそれぞれ左右方向に移動させて位置付けることにより、当該天板面の中央部に形成される矩形状の空所に、前記拡大用天板を上昇させるようにしたこと、
を特徴とする天板形状を変更できるテーブル。
【請求項２】
長方形部を、その中心が天板の中心と一致するように配置すると共に、外周部側の前後方向での分割点は、前記長方形部の短辺上の中点にした請求項１の天板形状を変更できるテーブル。
【請求項３】
分割された長方形部は、各分割部分が天板面の前後方向に移動して開いた前記外周部側の分割部位の対向面部に支持案内されて天板面の左右方向で当該天板の外方に向けて移動する構成を備えた請求項１又は２の天板形状を変更できるテーブル。
【請求項４】
長方形部を囲んだ状態で天板面の前後方向に移動して開閉する分割された前記外周部側は、当該外周部側の分割面と同位相で分割されたスライドする分割脚体によって前記天板における長方形部の左右側近傍の下方において支持された請求項１〜３のいずれかの天板形状を変更できるテーブル。
【請求項５】
長方形部に代えて長円形部又は横長六角形部を天板面に形成した請求項１〜４のいずれかの天板形状を変更できるテーブル。
【請求項６】
分割脚体は、天板外周部側の各分割部分を支持した各分割脚体に対面した固定脚部材にスライド可能に保持されている請求項４又は５の天板形状を変更できるテーブル。
【請求項７】
拡大用天板の昇降は、当該拡大用天板と固定脚部材との間に配設した昇降機構により行うようにした請求項６の天板形状を変更できるテーブル。
【発明の詳細な説明】
【技術分野】
【０００１】
本発明は、天板の平面形状を変化させて面積を拡縮することができるテーブルに関する。
【背景技術】
【０００２】
従来より天板の面積を拡縮できるようにしたテーブルは、特許文献１，２により提案されたものを始め、数多くのテーブルが知られている。
【０００３】
公知の天板面積を拡縮できるテーブルには、天板形状が長方形乃至それに類する形状の場合、まず、長さ方向の両端又は一端をいわゆるバタフライ式に起伏たり、引出し式に伸縮させて面積を拡縮する形態がある。また、天板をその中間部位で左右に分割し、当該分割部位の下面側に拡大用天板を組込んでおき、前記分割部分を左右方向に開いて中間部位を空け、その空いた部位に前記拡大用天板をせり上げて全体の天板面を揃えるようにした形態（特許文献１参照）もあり、これらが従来の天板面積の変更態様の大半を占めている。
【０００４】
上記の面積拡縮形態は、元の天板の長辺側だけを拡張乃至拡縮する態様であるから、元の天板の短辺方向での面積拡張はできない。しかし乍ら、天板の長さ方向においてのみ天板面積を拡縮するタイプのテーブルでは、天板の短辺側での拡張ができないため、同じ天板形状のテーブル２本を横方向に並べて使用する形態に比べ、テーブルが１本で済むメリットがあるに止まる。また、天板の短辺側が拡張されないため、天板の長辺側に向い合わせに人が着くと足元が窮屈になる問題もある。
【特許文献１】特開昭６０−１１１６０４号公報
【特許文献１】特開２００４−８１６６８号公報
【発明の開示】
【発明が解決しようとする課題】
【０００５】
本発明は、天板長辺側（左右方向）に拡縮用天板を組込んだタイプの従来の拡縮天板テーブルとは異なり、天板の短辺側（前後方向）での拡縮を図ることにより、天板の長辺方向での元の長さを変えずに、当該天板の平面形状を変更し、天板面積を拡縮できると共に、長辺側を拡縮する従来タイプのテーブルに比べ、使い勝手の面でも優れたテーブルを提供することを、その課題とする。
【課題を解決するための手段】
【０００６】
上記課題を解決することを目的としてなされた本発明テーブルの構成は、
(イ)   適宜脚部材に支持された天板の平面上（以下、天板面という）における中心部位に、当該天板の外周部側に囲まれ、かつ、囲まれた部位に接して分離した長方形部が、当該天板面に形成されていること、
(ロ)   前記長方形部は、前記天板面の左右方向の幅の１／２長の長辺と当該天板面の前後方向の幅より小さ目の短辺とを有し、長さ方向の中点（又は前記天板面の中心）で左右に２分割され、当該分割部分が、天板面の左右方向に移動して互に離接可能配置されていること、
(ハ)   前記長方形部を囲む天板面の外周部側は、前記長方形部における短辺を通る点において、当該長方形部の長辺に沿って前後方向に分割され、当該分割部分が天板面の前後方向に移動して互に離接可能に配置されていること、
(ニ)   前記天板面の中心部位の下面側に、長辺が前記長方形部の長辺と同等長さで、短辺が当該長方形部の短辺の長さの２倍長を有する拡大用天板が、昇降可能に配置されていること、
(ホ)   分割された前記外周部側を前後方向に移動させその分割部位の幅が拡張されて形成された空所に、分割された長方形部の分割部分をそれぞれ左右方向に移動させて位置付けることにより、当該天板面の中央部に形成される矩形状の空所に、前記拡大用天板を上昇させるようにしたこと、
を特徴とするものである。
本発明は、上記構成において、長方形部を、その中心が天板の中心と一致するように配置し、また、外周部側の前後方向での分割点は、前記長方形部の短辺上の中点にすることがある。
【０００７】
本発明テーブルでは、上記構成における分割された長方形部の各分割部分が、天板面の前後方向に移動して開いた前記外周部側の分割部位に支持案内されていることにより、天板面の左右方向で当該天板の外方に向けて移動できる構成を備えている。
【０００８】
また、上記本発明テーブルでは、長方形部を囲んだ状態で天板面の前後方向に移動して開閉する分割された外周部側は、当該外周部側の分割面と同位相で分割されたスライドする分割脚体によって、前記天板の左右側寄りにおいて支持されている。ここで、分割された脚体は、天板外周部側の各分割部分を夫々に支持した分割脚体に対面した固定脚部材にスライド可能に保持されている。また、前記拡大用天板の昇降は、当該拡大用天板と固定脚部材との間に配設した昇降機構により行うようにしている。
【発明の効果】
【０００９】
本発明テーブルは、上述した
(イ)   適宜脚部材に支持された天板の平面上（以下、天板面という）における中心部位に、当該天板の外周部側に囲まれ、かつ、囲まれた部位に接して分離した長方形部が、当該天板面に形成されていること、
(ロ)   前記長方形部は、前記天板面の左右方向の幅の１／２長の長辺と当該天板面の前後方向の幅より小さ目の短辺とを有し、長さ方向の中点（又は前記天板面の中心）で左右に２分割され、当該分割部分が、天板面の左右方向に移動して互に離接可能配置されていること、
(ハ)   前記長方形部を囲む天板面の外周部側は、前記長方形部における短辺を通る点において、当該長方形部の長辺に沿って前後方向に分割され、当該分割部分が天板面の前後方向に移動して互に離接可能に配置されていること、
(ニ)   前記天板面の中心部位の下面側に、長辺が前記長方形部の長辺と同等長さで、短辺が当該長方形部の短辺の長さの２倍長を有する拡大用天板が、昇降可能に配置されていること、
(ホ)   分割された前記外周部側を上下方向に移動させその分割部位の幅が拡張されて形成された空所に、分割された長方形部の分割部分をそれぞれ左右方向に移動させて位置付けることにより、当該天板面の中央部に形成される矩形状の空所に、前記拡大用天板を上昇させるようにしたこと、
の要件を満たすように製作すれば、天板の平面形状を、その天板が長方形部の場合には、その天板の短辺側（前後方向）において天板面積を拡縮することができる。従って、単に長辺側（左右方向）においてのみしか拡張できなかった従来の拡縮天板に比べ、拡縮態様が全く異なり、それ故に、使い勝手もきわめて優れたものである。
また、本発明では、天板の短辺側において拡縮する構成であるから、拡張したとき天板の奥行き側において足元空間を拡大することができるので、多人数での使用においても、足元が窮屈になることがない。
なお、本発明は、元の天板形状が楕円形のほか、長円形や長方形は勿論、正方形や正円形、或は、任意の多角形であっても適用することができる。この点については、後述する。また、長方形部は、その中心を天板中心に一致させることは必ずしも必要ではなく、さらに、長方形部自体の平面形状も、矩形でないものや各辺が弯曲したもの、例えば、長円形であっても、本発明テーブルに形成することができる。
【発明を実施するための最良の形態】
【００１０】
次に本発明テーブルの実施の形態例について、図を参照して説明する。図１は天板を拡張（拡大）する前の本発明テーブルの一例の平面図、図２は図１のテーブルの左方（又は右方）からの側面図、図３は図１のテーブルの正面図、図４は図１〜図３の本発明テーブルの中央縦断面、図５は図１のテーブルの天板を拡大した本発明テーブルの平面図、図６は図５のテーブルの側面図、図７は図５のテーブルの中央縦断側面図、図８は拡大用天板の上昇位置を説明するための要部の拡大断面図である。なお、図５〜図７に示した本発明による拡大した天板のテーブルも、その正面図は、図２と同じに現れる。当該天板の長辺の長さは、天板の拡縮に拘らず変化しないからである。
【００１１】
図１において、１は本発明を適用するテーブルの天板で、ここでは、一例として、平面から見て稍細目の楕円形状の天板を用いている。本発明が適用できる天板は、図示した例に限られるものではないこと勿論であるが、この点については後述する。
【００１２】
図１の天板１の中心部位には、全周囲を当該天板１の外周部側３に分離線において囲まれた長方形部２が、この天板１の中心CPに関し上下及び左右とも対称になるように配置、つまり、天板１の中心CPと長方形部２の中心が一致するように配置されている。また、この長方形部２は、その長辺に関する中点で左右に分割されている。ここでは、左右の分割部分に、それぞれ21，22の符号を与える。
【００１３】
一方、上記の長方形部２の周囲を、分離線を介して囲んでいる外周部側３は、その左右側サイド（囲んでいる長方形部２の外側）が長方形部２の左右の短辺2aの中点において、長方形部２の長辺2bと平行な分割線3a，3bにより、天板１の前後方向（図１では上，下）に分割されている。ここでは、外周部側３における前，後の分割部分に、それぞれ31，32の符号を与える。
【００１４】
上記構成を要すれば、元は１枚の天板１は、左右に分割されて天板１の中央部位に配置された長方形部２と、該長方形部２を分離線で囲んで左右側の部位が前，後に分割された外周部側３とから成り、夫々に、前記長方形部２は左右の分割部分21，22に、また外周部側３は、前後の分割部分31，32に、分割された構成を備えたものである。
【００１５】
上記構成を備えた天板１の下面側には、図示した例では次の構成が付与されている。
図１，図３において、４，５は、上記天板１の左右側寄りの下面側において、長方形部２の左右の短辺2aが位置する部分に配設された左右の固定脚部材、６は、上記左右の固定脚部材４，５を結合するため、両脚部材４，５の上部間に架設されているベース部材であり、当該脚部材４，５とこのベース部材６の上面側に、天板１を支える枠状フレームＦを載架して具備している。ベース部材６は、図示した例では断面中空に形成されている（図４参照）。
【００１６】
7a，7bと8a，8bは、上記脚部材４，５のそれぞれ外面に、夫々に上，下に配した水平姿勢のスライドレール9a，9bを介してスライド可能に架装された左，右側の分割脚体である。この左右の分割脚体7a，8a、同7b，8bには、図における前後に分割された外周部側３の分割部分31と同32が、それらの長さ方向における左右側において載架されており、これによって分割された外周部側３の２つの分割部分31と32は、図６に示すように、互に離間する側（天板１の前後方向）にスライド移動できるように形成されている。
【００１７】
10a，10b、11a，11bは、前記の分割脚体7a，7b、同8a，8bからオーバハングして左右に突出している天板１を下から補助的に支えるため、各分割脚体7a，7b、同8a，8bに、分割面を、例えば磁石等の吸着力で密接させるように設けた面分割アーム（又はブラケット）である。
【００１８】
なお、図において7c，8cは、各分割脚体7a，7b、同8a，8bにおいて、それぞれの外側近傍の下面に設けたキャスタで、各分割脚体7a，7b、同8a，8bの移動を円滑に行わせるためのものである。また、外周部側３における各分割部分31，32の分割面には、図には表われないが、長方形部２の分割部分21，22の移動を支持，案内する溝やレールなどによるガイド（図示せず）が設けられている。一方、長方形部２の分割部分21，22の移動方向に沿った側部や側面には、図示しないが、前記ガイドに支持案内されるコロ（転動体）やスライダ（滑り子）が設けられている。
【００１９】
上記構成によって、図１〜図４に示した元の大きさ，形状の天板１を備えた本発明テーブルは、その天板１における外周部側３の分割部分31と32を前後方向（図５の上下方向、図６，図７では、図の左右方向）に、スライドレール9a，9bやキャスタ7c，8cの作用で移動させ、前後方向で開いた分割部分31と32の間に、長方形部２における分割部分21，22を、図５では図の左右方向に移動させて嵌め込む。これによって天板１の中央部位に略口の字状に大きく開いた平面矩形の開口部12を有する天板１に変形させられる（図５参照）。
【００２０】
上記において、外周部側３の分割部分31，32の移動量は、その開いた部分に、長方形部２における分割部分21，22がぴったり収まるように、一例として固定脚体４，５や分割脚体7a，7b、同8a，8bなどに設けた機械式の移動（開き）リミッタなどにより規制される。また、長方形部２における分割部分21，22の左右方向への移動エンド（外周部側３の分割部分31，32が開いた隙間へ入る動作終端）も、図示しないストッパなどによって、前記分割部分31，32が開いて形成された隙間の手前側に残ったり、向う側に突出しないようにする。
【００２１】
さらに、本発明では、前記分割部分31，32を前後に開いて、開いた部分の間に長方形部２の分割部分21，22を左右に移動させるとき、当該分割部分21，22のスライドを直線的にガイドするために、拡大用天板13の上面にスライド用細溝13aを設ける一方、分割部分21，22の下面に前記細溝13aに入って案内される切片状のガイド部材（図示せず）を設けてもよい。
【００２２】
上記のようにして図５に示すように、中央部に大きく形成されたほぼ矩形状の開口部12は、天板下のフレームＦの内部に収装されている拡大用天板13が、当該天板13の左右側と左右の固定脚部材４，５の間に、両者に連繋して設けられた昇降用シリンダやリンク機構等による昇降手段（図に表われず）によって上昇させられ、当該天板13の上面が移動して変形した天板１の上面と揃うように位置決めされる。この位置決めは、図８に例示するように、拡大用天板13の外縁に形成した段部13aが、それを受け止める分割部分31，32の縁で形成される開口部12に設けた段部12aに当接することなどの位置決め手段によって行うこともできる。
【００２３】
以上によって、図１〜図３に示す平面，正面，側面から見た態様であった本発明テーブルは、図５，図６に示す平面，側面から見た態様のテーブルに変形されるのである。なお、図５，図６を図１，図２に対比すれば明らかなように、天板１を拡大した本発明テーブルでは、その天板１の正面から見た左右方向の長さ（正面幅）が変化しないので、正面から見たテーブル態様は、天板１を拡張しない図３と同じに現れる。
【００２４】
このように、本発明テーブルでは、天板１の短辺方向での長さを変更することにより、図１と図５、図２と図６を夫々に対比すれば明らかなように、天板１の前後方向（奥行き方向）での幅を大きくし、天板形状をかなり大きく変形させて、その面積を拡大することができる。また、本発明テーブルは、上記作用があるから、拡大された天板１の左右側に、複数の人が着くことができる。これによって従来の長辺側（左右方向）でしか拡大されなかった天板に比べ、例えば、会議やミーティングなどにおけるミュニケーションが取り易くなるなどの効果が得られる。しかも、天板の前後方向（奥行き方向）が拡大されることにより、天板下の前後方向の足元空間も拡大するから、多人数による会議等においても足元が窮屈なことはない。
【００２５】
以上の図１〜図８による本発明テーブルの実施の形態例は、図１の細目の楕円形状の天板１に本発明を適用したものであるが、本発明が適用できる天板１は、図１の天板１に類似した形状の長円形や長方形の天板であってもよいことは勿論、これら以外に正方形や正円形、或は、その他の円形天板や多角形天板にも適用可能である。
【００２６】
要は、元の（拡大させる前の）天板の中央部位に、その天板の外周部側に分離線を介して囲まれた長方形部をその中心を一致させて分割可能に設け、該長方形部を中央で左右に２分割する一方、この長方形部を囲んだ外周部側を、前記分割方向とはクロスする方向（元の天板の前後方向）で分割して、前記分割した長方形部を、移動して開いた外周部側に挟むように位置付けて、天板中央部位に大きめの平面短形の開口部を形成し、この開口部に元の天板下に組込んでいた拡大用天板を昇降機構によりせり上げて、各天板の上面を揃えればよいのである。
【００２７】
これを換言すれば、上記長方形部２の長辺の長さを2aとするとき、外周部側３における分割部分31，32の開かれる左右側部における左右幅を、それぞれ長さａが取れるように形成する。つまり、天板１の左右方向の長さ（又は長辺の有効長）が4aであって、その長さ4aを上記長方形部の長辺の長さ2aと、該長方形部２の左側21と右側31とをそれぞれａの長さとなるように按分した設計とし、この長方形部２の短辺の長さｂは、元の天板１の前後方向の辺（又は短辺）の長さｃよりも小さくすればよい、ということになる。
【００２８】
天板１を変形して拡大用天板13により拡張した本発明テーブル（図２，図６参照）を、元の天板１のテーブルに戻すには、前述した変形，拡張のための操作手順とは、逆の順序で操作すればよい。即ち、拡大用天板13を降下させ、左右の外側に移動させていた長方形部２の分割部分21，22を、互に当接するように左右方向で引き寄せ、そして、外周部側３の分割部分31，32を、前後方向で互に引寄せて密着させると、図１，図２に示す元の天板１の大きさ，形状のテーブルになる。
【００２９】
ここで、長方形部２の分割部分21，22が、左右の外側から互に当接するように、天板１の中心CP側に引き戻されるとき、その戻り動作の終端の位置決めのため、拡大用天板13の上面にセンターマークCPを微小凸部として形成しておくとよい。そうすれば、分割部分21，22の中心側の対向する下面に前記凸部CPに合致する半円状の凹部を形成しておけば、各分割部分21が凸部21を越えて移動できないので、所定位置に位置決めをすることができる。
【００３０】
また、長方形部２の２枚の分割部分21，22がセンターマークCPに位置決めされると、開いていた外周部側３の分割部分31，32が、分割脚体7a，7b、同8a，8bの前後方向での互に接近する移動によって、互に近接させられる。このとき、先にセンターマークCPにより互に当接して位置決めされている長方形部２の分割部分21，22を、前後方向で接近して来る前記分割部分31，32が形成する凹部に円滑に滑り込ませるため、前記分割部分21，22の外側端面を、浅い角度の山形斜面に形成しておくとよい。そうすると、互に接近して来る外周部側３の分割部分31，32の移動方向先端に位置した角部が、分割部分21，22の角隅部を円滑に通過できるから、当該分割部分31，32が分割部分21，22の角部に引掛って動作が止まったり、ガタついたりすることを防止できる。なお、以上の実施例は、天板の中心と長方形部の中心を一致させて配置した例であるが、本発明では、天板の中心と長方形部の中心を必ずしも一致させて配置しなくても本発明テーブルを形成でき、また、長方形部もそれに代えて長円形部や長方形の辺が曲がった曲辺長方形部、或は、横長六角形部などを用いて本発明を実施することができる。
【産業上の利用可能性】
【００３１】
本発明は以上の通りであって、一例として
(イ)   適宜脚部材に支持された天板の平面上（以下、天板面という）における中心部位に、当該天板の外周部側に囲まれ、かつ、囲まれた部位に接して分離した長方形部が、当該天板面に形成されていること、
(ロ)   前記長方形部は、前記天板面の左右方向の幅の１／２長の長辺と当該天板面の前後方向の幅より小さ目の短辺とを有し、長さ方向の中点（又は前記天板面の中心）で左右に２分割され、当該分割部分が、天板面の左右方向に移動して互に離接可能配置されていること、
(ハ)   前記長方形部を囲む天板面の外周部側は、前記長方形部における短辺を通る点において、当該長方形部の長辺に沿って前後方向に分割され、当該分割部分が天板面の前後方向に移動して互に離接可能に配置されていること、
(ニ)   前記天板面の中心部位の下面側に、長辺が前記長方形部の長辺と同等長さで、短辺が当該長方形部の短辺の長さの２倍長を有する拡大用天板が、昇降可能に配置されていること、
(ホ)   分割された前記外周部側を前後方向に移動させその分割部位の幅が拡張されて形成された空所に、分割された長方形部の分割部分をそれぞれ左右方向に移動させて位置付けることにより、当該天板面の中央部に形成される矩形状の空所に、前記拡大用天板を上昇させるようにしたこと、
を要件として天板の短辺側（前後方向）において変形，拡張を可能にしたから、テーブルの使い勝手の面で従来の天板拡大式テーブルでは得られない利点がある。
【図面の簡単な説明】
【００３２】
【図１】天板を拡張（拡大）する前の本発明テーブルの一例の平面図。
【図２】図１のテーブルの左方（又は右方）からの側面図。
【図３】図１のテーブルの正面図。
【図４】図１〜図３の本発明テーブルの中央縦断面。
【図５】図１のテーブルの天板を拡大した本発明テーブルの平面図。
【図６】図５のテーブルの側面図。
【図７】図５のテーブルの中央縦断側面図。
【図８】拡大用天板の上昇位置を説明するための要部の拡大断面図。
【符号の説明】
【００３３】
１                  天板
２                  長方形部
21，22              長方形部２の左右の分割部分
３                  外周部側
31，32              外周部側３の前後方向での分割部分
４，５              左右の固定脚部材
６                  固定脚部材４，５を結合するベース部材
7a，7b、8a，8b      左右の分割脚体
9a，9b              スライドレール
10a，10b、11a，11b  左右の面分割アーム
12                  開口部
13                  拡大用天板
【図１】
2008125522.tif 000003
【図２】
2008125522.tif 000004
【図３】
2008125522.tif 000005
【図４】
2008125522.tif 000006
【図５】
2008125522.tif 000007
【図６】
2008125522.tif 000008
【図７】
2008125522.tif 000009
【図８】
2008125522.tif 000010